(57)【要約】【課題】画像表示装置において、リモコンにしかないキー操作を本体操作パネルの少ないキー操作で実行する。【解決手段】画像表示装置において、操作内容を選択させる第１のキー入力操作を受け付けた（ステップＳ１０３）後、操作内容を指定する第２のキー入力操作を受け付けた（ステップＳ１０５）場合に、操作設定部（記憶部２１）に記憶された、第２のキー入力操作に対応する制御を行う（ステップＳ１０７）。【選択図】図２
2012159706.tif 000002
【特許請求の範囲】
【請求項１】
入力する画像情報に応じた画像を画像投写部により表示する画像表示装置であって、
当該画像表示装置本体に備えられ、入力操作を受け付け、当該画像表示装置の操作信号
を生成する入力操作部と、
前記操作信号に対応する操作内容を記憶させる操作設定部と、
前記入力操作部から操作内容を選択させる第１のキー入力操作を受け付けた後、操作内
容を指定する第２のキー入力操作を受け付けた場合に、前記操作設定部に記憶された、前
記第２のキー入力操作に対応する制御を行うことを特徴とする、画像表示装置。
【請求項２】
請求項１に記載の画像表示装置であって、
前記制御部は、前記入力操作部が前記第１のキー入力操作を受け付けたときに、前記表
示部に前記第２のキー入力操作に対応する操作内容を表示させることを特徴とする、画像
表示装置。
【請求項３】
請求項１または２に記載の画像表示装置であって、
前記制御部は、前記入力操作部から前記第１のキー入力操作および、前記第２のキー入
力操作を受け付けて、前記操作設定部に基づく制御を行った後、所定の時間内に前記第２
のキー入力操作を受け付けた場合に、前記操作設定部に基づく制御を行うことを特徴とす
る、画像表示装置。
【請求項４】
入力する画像情報に応じた画像を表示する表示部と、
当該画像表示装置本体に備えられ、入力操作を受け付け、当該画像表示装置の操作信号
を生成する入力操作部と、
前記操作信号に対応する操作内容を記憶する操作設定部と、を備えた画像表示装置の制
御方法であって、
前記入力操作部から操作内容を選択させる第１のキー入力操作を受け付ける操作内容選
択ステップと、
前記入力操作部から操作内容を指定する第２のキー入力操作を受け付けたか否かを判定
する判定ステップと、
前記判定ステップから第２のキー入力操作を受け付けたことを判定した場合、前記操作
設定部に記憶された、前記第２のキー入力操作に対応する制御を行う操作ステップを有す
ることを特徴とする、画像表示装置の制御方法。
【発明の詳細な説明】
【技術分野】
【０００１】
本発明は、画像表示装置および画像表示装置の制御方法に関する。
【背景技術】
【０００２】
画像を表示する画像表示装置（例えば、プロジェクター）は、一般に、本体操作パネル
およびリモートコントローラー（リモコン）で制御するが、コストダウンおよび、本体操
作パネルの簡略化のため、操作パネルには必要最小限のキーしか備えないことが多い。こ
のため、本体操作パネルのキーに無い操作機能はメニューキーで選択してから実行する必
要があるが、メニュー項目から機能別の階層を経て目的の機能を選択するには何回もキー
を操作しなければならなかった。
【０００３】
表示を一時中断するミュート機能を実行する操作はリモコンでしか行えないことが多い
。そのため、本体にスライド式のレンズカバーを備え、ミュート機能を実現するものが開
示されている（特許文献１）。
【先行技術文献】
【特許文献】
【０００４】
【特許文献１】特開２００８−１０２２４４号公報
【発明の概要】
【発明が解決しようとする課題】
【０００５】
しかしながら、このようなプロジェクターでは、本体側にスライド式のレンズカバー開
閉機構、開閉状態の検出装置が必要になり、コストアップになってしまうという問題があ
った。
【課題を解決するための手段】
【０００６】
本発明は、上述の課題の少なくとも一部を解決するためになされたものであり、以下の
形態または適用例として実現することが可能である。
【０００７】
［適用例１］本適用例に係る画像表示装置は、入力する画像情報に応じた画像を画像投
写部により表示する画像表示装置であって、当該画像表示装置本体に備えられ、入力操作
を受け付け、当該画像表示装置の操作信号を生成する入力操作部と、前記操作信号に対応
する操作内容を記憶させる操作設定部と、前記入力操作部から操作内容を選択させる第１
のキー入力操作を受け付けた後、操作内容を指定する第２のキー入力操作を受け付けた場
合に、前記操作設定部に記憶された、前記第２のキー入力操作に対応する制御を行うこと
を特徴とする。
【０００８】
本適用例によれば、本体操作パネルに専用のキーを追加することなく、少ないキー入力
であらかじめ設定された操作を実行させることが可能となる。
【０００９】
［適用例２］上記適用例に記載の画像表示装置において、前記制御部は、前記入力操作
部が前記第１のキー入力操作を受け付けたときに、前記表示部に前記第２のキー入力操作
に対応する操作内容を表示させることを特徴とする。
【００１０】
本適用例によれば、第１のキーを入力した時点で、第２のキー入力に対応する操作内容
が表示されるので、目的のキー操作をわかりやすくすることが可能となる。
【００１１】
［適用例３］上記適用例に記載の画像表示装置において、前記制御部は、前記入力操作
部から前記第１のキー入力操作および、前記第２のキー入力操作を受け付けて、前記操作
設定部に基づく制御を行った後、所定の時間内に前記第２のキー入力操作を受け付けた場
合に、前記操作設定部に基づく制御を行うことを特徴とする。
【００１２】
本適用例によれば、第２のキーを入力して設定された操作を実行した後、同じ操作を連
続して実行する場合に、所定時間内に第２のキーを続けて入力することで、第１のキー入
力操作を省略することができるので、少ないキー入力で目的の操作を連続して実行するこ
とが可能となる。
【００１３】
［適用例４］本適用例に係る画像表示装置の制御方法は、入力する画像情報に応じた画
像を表示する表示部と、当該画像表示装置本体に備えられ、入力操作を受け付け、当該画
像表示装置の操作信号を生成する入力操作部と、前記操作信号に対応する操作内容を記憶
する操作設定部と、を備えた画像表示装置の制御方法であって、前記入力操作部から操作
内容を選択させる第１のキー入力操作を受け付ける操作内容選択ステップと、前記入力操
作部から操作内容を指定する第２のキー入力操作を受け付けたか否かを判定する判定ステ
ップと、前記判定ステップから第２のキー入力操作を受け付けたことを判定した場合、前
記操作設定部に記憶された、前記第２のキー入力操作に対応する制御を行う操作ステップ
を有することを特徴とする。
【００１４】
本適用例によれば、本体操作パネルに専用のキーを追加することなく、少ないキー入力
であらかじめ設定された操作を実行させることが可能となる。
【図面の簡単な説明】
【００１５】
【図１】画像表示装置の概略回路構成を示すブロック図。
【図２】実施形態１のプロジェクターの動作を示すフローチャート。
【図３】ヘルプキー入力時の操作キー表示画面。
【図４】画面ミュート時の表示画面。
【図５】変形例１のプロジェクターの動作を示すフローチャート。
【図６】カラーモード切替時の表示画面。
【図７】本体操作パネルを示す図。
【図８】リモコンの操作キーを示す図。
【発明を実施するための形態】
【００１６】
以下、図面を参照して本発明の一実施形態について説明するが、以下の実施形態は特許
請求の範囲にかかる発明を限定するものではなく、また、実施形態における特徴の組み合
わせの全てが発明の解決手段に必須であるとは限らない。
【００１７】
（第１実施形態）
図１は、本実施形態のプロジェクターの回路構成を示すブロック図である。
図１に示すように、プロジェクター１は、画像投写部１０、操作設定部を含む制御部２
０、記憶部２１、光源制御部２２、入力操作部２３、操作信号受信部２４、画像信号入力
部５、画像信号処理部３、ＯＳＤ処理部４等で構成されており、これらは図示しない筐体
の内部に収容されている。
【００１８】
画像投写部１０は、光源１１、光変調装置としての３つの液晶ライトバルブ１２Ｒ、１
２Ｇ、１２Ｂ、投写光学系としての投写レンズ１３、液晶駆動部１４等を含んでいる。画
像投写部１０は、光源１１から射出された光を、液晶ライトバルブ１２Ｒ、１２Ｇ、１２
Ｂで変調して画像光を形成し、この画像光を投写レンズ１３から投写することによってス
クリーンＳＣ等に画像を表示する。
【００１９】
光源１１は、超高圧水銀ランプやメタルハライドランプ等からなる放電型の光源ランプ
１１ａと、光源ランプ１１ａが放射した光を液晶ライトバルブ１２Ｒ、１２Ｇ、１２Ｂ側
に反射するリフレクター１１ｂとを含んで構成されている。光源１１から射出された光は
、図示しないインテグレーター光学系によって輝度分布が略均一な光に変換され、図示し
ない色分離光学系によって光の３原色である赤色（Ｒ）、緑色（Ｇ）、青色（Ｂ）の各色
光成分に分離された後、それぞれ液晶ライトバルブ１２Ｒ、１２Ｇ、１２Ｂに入射する。
【００２０】
液晶ライトバルブ１２Ｒ、１２Ｇ、１２Ｂは、一対の透明基板間に液晶が封入された液
晶パネル等によって構成される。液晶ライトバルブ１２Ｒ、１２Ｇ、１２Ｂには、マトリ
ックス状に配列された複数の画素（図示せず）が形成されており、液晶に対して画素毎に
駆動電圧を印加可能になっている。
液晶駆動部１４が、入力される画像情報に応じた駆動電圧を各画素に印加すると、各画
素は、画像情報に応じた光透過率に設定される。このため、光源１１から射出された光は
、この液晶ライトバルブ１２Ｒ、１２Ｇ、１２Ｂを透過することによって変調され、画像
情報に応じた画像光が色光毎に形成される。
形成された各色の画像光は、図示しない色合成光学系によって画素毎に合成されてカラ
ーの画像光となった後、投写レンズ１３によってスクリーンＳＣ等に拡大投写される。
【００２１】
上記実施形態では、光源１１として光源ランプ１１ａを用いて投写するプロジェクター
１を例示したが、本発明は光源としてＬＥＤ（Light Emitting Diode）光源やレーザー光
源などを用いて投写するプロジェクターにも適用することができる。
なお、上記の実施形態では、画像投写部１０は、光源１１、光変調装置としての３つの
液晶ライトバルブ１２Ｒ、１２Ｇ、１２Ｂを用いた透過型液晶方式の投写光学系を例示し
たが、反射型液晶表示方式やマイクロミラーデバイス方式（ライトスイッチ表示方式）な
ど、他の表示方式の光変調装置を採用しても良い。
【００２２】
制御部２０は、ＣＰＵ（Central Processing Unit）や、各種データ等の一時記憶に用
いられるＲＡＭ（Random Access Memory）等を備え、記憶部２１に記憶されている制御プ
ログラム（図示せず）に従って動作することによりプロジェクター１の動作を統括制御す
る。つまり、制御部２０は、記憶部２１とともにコンピューターとして機能する。また制
御部２０は、時間を計時するタイマー２０ａを備える。
【００２３】
記憶部２１は、フラッシュメモリーやＦｅＲＡＭ（Ferroelectric RAM：強誘電体メモ
リー）等の書き換え可能な不揮発性のメモリーにより構成されている。記憶部２１には、
プロジェクター１の動作を制御するための制御プログラムや、プロジェクター１の動作条
件等を規定する各種設定データ等が記憶されている。本実施形態では、第２のキー入力操
作に対応する実行機能を示す、操作設定情報２１ａが記憶される。
【００２４】
入力操作部２３は、プロジェクター１の本体筐体外面に備えられ、ユーザーからの入力
操作を受け付けるものであり、ユーザーがプロジェクター１に対して各種指示を行うため
の複数の操作キーを備えている。
図７のように、入力操作部２３が備える操作キーとしては、電源のオン・オフを交互に
切り替えるための電源キー２３ａや、画像信号入力部５に入力される複数の画像入力端子
を切り替えるための入力切替キー２３ｂ、各種設定を行うための設定メニューを重畳表示
させるメニューキー２３ｃ、メニューからユーザーが設定項目を選択するカーソルキー２
３ｄ、決定キー２３ｅ、エスケープキー２３ｆ、ヘルプキー２３ｇ等がある。本実施形態
では、入力操作部２３が備える操作キーに画面ミュートキーが含まれていないため、入力
切替キー２３ｂを操作することで画面ミュートを実行する。
ユーザーが入力操作部２３の各種操作キーを操作すると、入力操作部２３は、ユーザー
の操作内容に応じた操作信号を制御部２０に出力する。本実施形態では操作内容を選択さ
せる第１のキーとしてヘルプキー２３ｇを使う。
【００２５】
操作信号受信部２４は、遠隔操作で入力操作を行うリモートコントローラー（リモコン
／ＲＣとも称する）２５からの操作信号を受信し、ユーザーの操作内容に応じた、操作信
号を制御部２０に出力する。
図８に示すように、リモコン２５が備える操作キーとしては、入力操作部２３と同等で
ある、電源キー２５ａ、入力切替キー２５ｂ、メニューキー２５ｃ、カーソルキー２５ｄ
、決定キー２５ｅ、エスケープキー２５ｆ、ヘルプキー２５ｇのキーに加え、画面ミュー
トキー２５ｈ、画面縦横比切替キー２５ｉ、カラーモード切替キー２５ｊ、番号入力キー
２５ｋ等がある。
【００２６】
画像信号入力部５は、複数の画像入力端子を備えており、各画像入力端子より、ビデオ
再生装置やパーソナルコンピューター等、外部の画像出力装置から、図示しないケーブル
を介して画像情報が入力される。
【００２７】
画像信号処理部３は、画像信号入力部５から入力される画像情報を、液晶ライトバルブ
１２Ｒ、１２Ｇ、１２Ｂの各画素の階調を表す画像情報に変換する。ここで、変換された
画像情報は、Ｒ，Ｇ，Ｂの色光別になっており、各液晶ライトバルブ１２Ｒ、１２Ｇ、１
２Ｂのすべての画素に対応する複数の画素値によって構成されている。画素値とは、対応
する画素の光透過率を定めるものであり、この画素値によって、各画素を透過し射出する
光の強弱（階調）が規定される。
【００２８】
ＯＳＤ処理部４は、制御部２０の指示に基づいて、投写画像上に、メニュー画像やメッ
セージ画像等のＯＳＤ（オンスクリーンディスプレイ）画像を重畳して表示するための処
理を行う。ＯＳＤ処理部４は、図示しないＯＳＤメモリーを備えており、ＯＳＤ画像を形
成するための図形やフォント等を表すＯＳＤ画像情報を記憶している。
制御部２０が、ＯＳＤ画像の重畳表示を指示すると、ＯＳＤ処理部４は、必要なＯＳＤ
画像情報をＯＳＤメモリーから読み出し、投写画像上の所定の位置にＯＳＤ画像が重畳さ
れるように、画像信号処理部３から入力される画像情報にこのＯＳＤ画像情報を合成する
。ＯＳＤ画像情報が合成された画像情報は、液晶駆動部１４に出力される。
なお、制御部２０からＯＳＤ画像を重畳する旨の指示がない場合には、ＯＳＤ処理部４
は、画像信号処理部３から入力される画像情報を、そのまま液晶駆動部１４に出力する。
【００２９】
液晶駆動部１４は本実施形態における画像形成部であり、ＯＳＤ処理部４から入力され
る画像情報に従って液晶ライトバルブ１２Ｒ、１２Ｇ、１２Ｂを駆動すると、液晶ライト
バルブ１２Ｒ、１２Ｇ、１２Ｂは、画像情報に応じた画像を形成し、この画像が投写レン
ズ１３から投写される。
【００３０】
光源制御部２２は、制御部２０の指示に基づいて、光源１１に対する電力の供給と停止
とを制御し、光源１１の点灯及び消灯を切り替える。
【００３１】
次に、本実施形態のプロジェクター１の動作を図２のフローチャートを用いて説明する
。
図２に示すように、プロジェクター１が画像を投写中に、入力操作部２３が操作内容を
選択する第１のキーとしてのヘルプキー２３ｇの入力操作を検出した場合（ステップＳ１
０１）、制御部２０は画像投写部１０に、操作を指定する第２のキーとそれに対応する機
能（キー操作対応）の一覧を表示する（ステップＳ１０２）。このときの表示画面を図３
に示す（図３の左下枠内）。
【００３２】
ステップＳ１０３において制御部２０は、入力操作部２３または操作信号受信部２４が
キー入力操作を受け付けたか否かを調べる。キー入力操作を受け付けた場合（ステップＳ
１０３：Ｙ）、ステップＳ１０４に移行し、受け付けていない場合（ステップＳ１０３：
Ｎ）、本ステップを繰り返す。
【００３３】
ステップＳ１０４において制御部２０は、ステップＳ１０３で受け付けた入力操作キー
が電源キー２３ａか否かを調べる。電源キー２３ａの場合（ステップＳ１０４：Ｙ）、プ
ロジェクター１の電源をオフし（ステップＳ１０９）、本動作フローを終了する。電源キ
ー２３ａではない場合（ステップＳ１０４：Ｎ）、ステップＳ１０５に移行する。
【００３４】
ステップＳ１０５において制御部２０は、ステップＳ１０３で受け付けた入力操作キー
が、操作内容を指定する第２のキー（入力操作部２３の複数のキーのいずれか）か否かを
調べる。第２のキーの場合（ステップＳ１０５：Ｙ）、ステップＳ１０６に移行する。第
２のキーではない場合（ステップＳ１０５：Ｎ）、ステップＳ１０８に移行し、本動作フ
ローを終了する。
【００３５】
ステップＳ１０６において制御部２０は、画像投写部１０に表示した、第２のキーとそ
れに対応する機能（キー操作対応）の一覧の表示を消去する。
次にステップＳ１０７において制御部２０は、ステップＳ１０３で受け付けた、操作を
指定する第２のキー（操作指定キー）に対応する操作内容を操作設定情報２１ａから取得
し、実行（処理）する。例えば、入力切替キー２３ｂを受け付けた場合、操作設定情報２
１ａから入力切替キー２３ｂに対応する操作内容を取得し、図４に示すように画面ミュー
トを実行する。
次にステップＳ１０８に移行し、本動作フローを終了する。
【００３６】
以上説明したように、本実施形態のプロジェクター１によれば、本体操作パネルに専用
のキーを追加することなく、少ないキー入力であらかじめ設定された操作を実行させるこ
とが可能となる。また、第１のキー（ヘルプキー）を入力した時点で、第２のキー入力操
作に対応する操作内容が表示されるので、目的のキー操作をわかりやすくすることが可能
となる。
【００３７】
また、上記実施形態は、以下のように変更してもよい。
（変形例１）
上記実施形態において、第２のキー入力により、操作設定部で設定された操作を実行し
た後、所定の時間内に第２のキー入力を続けて行った場合に、同じ操作を連続して実行す
るようにしてもよい。
【００３８】
本変形例のプロジェクター１の動作を図５のフローチャートを用いて説明する。
図５に示すように、プロジェクター１が画像を投写中に、入力操作部２３が第１のキー
としてのヘルプキー２３ｇの入力操作を検出した場合（ステップＳ２０１）、制御部２０
は画像投写部１０に、操作を指定する第２のキーとそれに対応する機能（キー操作対応）
の一覧を表示する（ステップＳ２０２）。このときの表示画面を図３に示す（図３の左下
枠内）。
【００３９】
ステップＳ２０３において制御部２０は、入力操作部２３または操作信号受信部２４が
キー入力操作を受け付けたか否かを調べる。キー入力操作を受け付けた場合（ステップＳ
２０３：Ｙ）、ステップＳ１０４に移行し、受け付けていない場合（ステップＳ２０３：
Ｎ）、本ステップを繰り返す。
【００４０】
ステップＳ２０４において制御部２０は、ステップＳ２０３で受け付けた入力操作キー
が電源キー２３ａか否かを調べる。電源キー２３ａの場合（ステップＳ２０４：Ｙ）、プ
ロジェクター１の電源をオフし（ステップＳ２０９）、本動作フローを終了する。電源キ
ー２３ａではない場合（ステップＳ２０４：Ｎ）、ステップＳ２０５に移行する。
【００４１】
ステップＳ２０５において制御部２０は、ステップＳ２０３で受け付けた入力操作キー
が、操作内容を指定する第２のキー（入力操作部２３の複数のキーのいずれか）か否かを
調べる。第２のキーの場合（ステップＳ２０５：Ｙ）、ステップＳ２０６に移行する。第
２のキーではない場合（ステップＳ２０５：Ｎ）、ステップＳ２１３に移行し、本動作フ
ローを終了する。
【００４２】
ステップＳ２０６において制御部２０は、画像投写部１０に表示した、第２のキーとそ
れに対応する機能（キー操作対応）の一覧の表示を消去する。
次にステップＳ２０７において制御部２０は、ステップＳ２０３で受け付けた、操作を
指定する第２のキー（操作指定キー）に対応する操作を操作設定情報２１ａから取得し、
実行する。例えば、右のカーソルキー２３ｄを受け付けた場合、操作設定情報２１ａから
右のカーソルキー２３ｄに対応する操作内容を取得し、図６に示すようにカラーモード切
替を実行する。
【００４３】
ステップＳ２０８において制御部２０は、タイマー２０ａによる計時を開始し、ステッ
プＳ２１０に移行する。
【００４４】
ステップＳ２１０において制御部２０は、タイマー２０ａによる計時が所定時間（例え
ば０．５秒）経過したか否かを調べる。所定時間経過した場合（ステップＳ２１０：Ｙ）
、ステップＳ２１３に移行し、本動作フローを終了する。所定時間経過していない場合（
ステップＳ２１０：Ｎ）、ステップＳ２１１に移行する。
【００４５】
ステップＳ２１１において制御部２０は、入力操作部２３が、ステップＳ２０３で受け
付けた、操作を指定する第２のキーと同じキーの入力を受け付けたか否かを調べる。同じ
キー入力を受け付けた場合（ステップＳ２１１：Ｙ）、ステップＳ２１２に移行する。同
じキー入力を受け付けていない場合（ステップＳ２１１：Ｎ）、ステップＳ２１０に移行
する。
【００４６】
ステップＳ２１２において制御部２０は、第２のキーに対応する操作を実行する。例え
ば右カーソルキーを続けて受け付けた場合は、カラーモード切替を連続して実行する（図
６に示す）。次にステップＳ２０８に移行し、以降、同様な処理を繰り返す。
【００４７】
以上説明したように、本変形例のプロジェクター１によれば、第２のキーを入力して設
定された機能を実行した後、同じ機能を連続して実行する場合に、所定時間内に第２のキ
ーを続けて入力することで、第１のキー入力操作を省略することができるので、少ないキ
ー入力操作で目的の機能を連続して実行することが可能となる。
【符号の説明】
【００４８】
１…プロジェクター、３…画像信号処理部、４…ＯＳＤ処理部、５…画像信号入力部、
１０…画像投写部、１１…光源、１２Ｒ，１２Ｇ，１２Ｂ…液晶ライトバルブ、１３…投
写レンズ、１４…液晶駆動部、２０…制御部、２１…記憶部、２２…光源制御部、２３…
入力操作部、２４…操作信号受信部、２５…リモートコントローラー。
【図１】
2012159706.tif 000003
【図２】
2012159706.tif 000004
【図３】
2012159706.tif 000005
【図４】
2012159706.tif 000006
【図５】
2012159706.tif 000007
【図６】
2012159706.tif 000008
【図７】
2012159706.tif 000009
【図８】
2012159706.tif 000010